(57)【要約】【課題】左右の前身頃同士を止めなくても、前がはだけ難い衣服であって、貫頭空間を大きく広げることができる検診衣などの衣服の提供を図る。【解決手段】右身頃Ｒ２０の左右に、左身頃Ｌ１０と右身頃Ｒ２０と連設され、これらが重ねられて２重の前身頃を構成する。左身頃Ｌ１０は右前肩部Ｌ１３を備え、右前肩部Ｌ１３は右後肩部Ｂ３４に固定され、右前肩部Ｌ１３から斜め下方に伸びる左下がりラインＬ１４が構成される。右身頃Ｒ２０は左前肩部Ｒ２３を備え、左前肩部Ｒ２３は左後肩部Ｂ３３に固定され、左前肩部Ｒ２３から斜め下方に伸びる右下がりラインＲ２４が構成される。左身頃Ｌ１０と右身頃Ｒ２０は、下端から上に大きく捲り上げることがき、また、背上辺Ｂ３５と左下がりラインＬ１４と右下がりラインＲ２４とにより構成される貫頭空間６５を大きく広げて、頭部を通して着脱ができる。【選択図】図１
2015040350.tif 000002
【特許請求の範囲】
【請求項１】
後身頃と、前記後身頃の左後側辺に左前側辺が連設された左前身頃と、前記後身頃の右後側辺に右前側辺が連設された右前身頃とを備え、
前記左前身頃と前記右前身頃とが重ねられて２重の前身頃を構成する衣服において、
前記後身頃は、中央の背上部と、前記背上部から左右に伸びる左後肩部と右後肩部を備え、
前記左前身頃は右前肩部を備え、前記右前肩部は前記右後肩部に固定され、前記右前肩部から斜め下方に伸びる左下がりラインが構成され、
前記右前身頃は左前肩部を備え、前記左前肩部は前記左後肩部に接続され、前記左前肩部から斜め下方に伸びる右下がりラインが構成され、
前記左前身頃と前記後身頃とは、前記左前側辺と前記左後側辺とが固定されると共に、前記右前肩部と前記右後肩部とが固定され、且つ、前記右前身頃と前記後身頃とは、前記右前側辺と前記右後側辺とが固定されると共に、前記左前肩部と前記左後肩部とが固定された状態において、前記後身頃の前記背上部から左右に伸びる前記左下がりラインと前記右下がりラインとにより構成される貫頭空間を広げて、前記貫頭空間に頭部を通して着脱ができるようにした衣服。
【請求項２】
左袖と右袖とを備え、
前記左袖は、前記右前身頃の前記左前側辺の上部と前記後身頃の前記左後側辺の上部とに固定され、
前記右袖は、前記左前身頃の前記右前側辺の上部と前記後身頃の前記右後側辺の上部とに固定され、
前記左前身頃の右前側辺の下部から前記左前身頃の下端辺は、固定されていない自由状態であり、
前記右前身頃の左前側辺の下部から前記右前身頃の下端辺は、固定されていない自由状態であり、
前記左前身頃と前記右前身頃とを捲り上げて受診できるようにした検診用衣服であることを特徴とする請求項１記載の衣服。
【請求項３】
前記左前身頃の右前側辺は、その上部のみが右側の脇下若しくはその下方にて固定され、当該固定箇所から下方の前記左前側辺及び前記左前身頃の下端辺は固定されていない自由状態であり、
前記右前身頃の左前側辺は、その上部のみが左側の脇下若しくはその下方にて固定され、当該固定箇所から下方の前記右前側辺及び前記右前身頃の下端辺は固定されていない自由状態であり、
前記左前身頃と前記右前身頃とを捲り上げて受診できるようにした検診用衣服であることを特徴とする請求項１又は２記載の衣服。
【発明の詳細な説明】
【技術分野】
【０００１】
本発明は、衣服、特に、着脱を容易に行なえるようにしたことで、検診衣や介護用衣服として適するに衣服に関するものである。
【背景技術】
【０００２】
従来より、特許文献１〜３に示されるように、検診や健康診断の際に着用するのに適した衣服が提案されている。これらの衣服は、左前身頃と右前身頃との二重の前身頃を有する。左前身頃は、左側辺が後身頃部と縫着されているが右側辺の大部分が縫着されていないため右方から左方へと開くことができる。他方、右前身頃は、右側辺が後身頃部と縫着されているが左側辺の大部分が縫着されていないため左方から右方へと開くことができる。そのため、それぞれを左右から開いて上方へ捲り上げることができるため、脱がずに内診等の検査を受けることができる。また着脱に際しては、貫頭空間に頭部を通して着脱する。
【０００３】
これらの衣服は、左右の前身頃の上部の左右両側が固定されているため、上記のように左右の下方から大きく開くことができ、且つ、着崩れして衣服の前が不用意にはだけることがないが、その反面、貫頭空間に頭部を通して着脱するため、着脱に際して、衣服が顔や頭髪に触れてしまい易い。その結果、ヘアスタイルが崩れたり、化粧が貫頭空間の周囲に付いてしまったりする場合がある。貫頭空間を大きく広げて検診を受ける必要が有る場合にも対応が困難である。
【０００４】
他方、特許文献４に示すように、浴衣型の衣服にあっては、左前身頃が後前身頃と左肩において固定される。そして、左肩から右下がりラインが構成されるため、右肩が存在しない。同様に、右前身頃は、後前身頃と右肩において固定され、右肩から左下がりラインが構成されるため、左肩が存在しない。その結果、左前身頃は、左側が左肩で上方から支持されるものの、右側が上方から支持されず、同様に、右前身頃は、右側が右肩で上方から支持されるものの、左側が上方から支持されない。従って、帯などで固定しておかないと、前がはだけてしまう。
【先行技術文献】
【特許文献】
【０００５】
【特許文献１】意匠登録第１３２３９９５号公報
【特許文献２】意匠登録第１３２３９９６号公報
【特許文献３】特開２００８−２５０３８号公報
【特許文献４】特開平７−２７８９２１号公報
【発明の概要】
【発明が解決しようとする課題】
【０００６】
本発明は、左右の前身頃同士を止めなくても、前がはだけ難い衣服であって、貫頭空間を大きく広げることができる衣服の提供を図ることを目的とする。
【課題を解決するための手段】
【０００７】
本発明は、後身頃と、前記後身頃の左後側辺に左前側辺が連設された左前身頃と、前記後身頃の右後側辺に右前側辺が連設された右前身頃とを備え、前記左前身頃と前記右前身頃とが重ねられて２重の前身頃を構成する衣服において、下記の手段を有するものを提供する。なお、本発明の説明において、特に断りがない限り、左右は、着用者から見ての左右とするもので、着用者の右腕が位置する方を右、左腕が位置する方を左とする。
本発明に係る衣服の前記後身頃は、中央の背上部と、前記背上部から左右に伸びる左後肩部と右後肩部を備える一般的な衣服の後身頃と略同様のものである。
【０００８】
前記左前身頃は、右前肩部を備え、前記右前肩部は前記右後肩部に固定され、前記右前肩部から斜め下方に伸びる左下がりラインが構成される。従って、本発明の前記左前身頃にあっては、従来の衣服のような左前肩部は必須ではない（但し、設けることを排除するものではない）。他方、従来の衣服とは反対側の右前肩部が、必須となる。
【０００９】
同様に、前記右前身頃は、左前肩部を備え、前記左前肩部は前記左後肩部に固定され、前記左前肩部から斜め下方に伸びる右下がりラインが構成される。従って、本発明の前記右前身頃にあっては、従来の衣服のような左前肩部は必須ではなく、従来の衣服とは反対側の左前肩部が、必須となる。
【００１０】
そして、前記左前身頃と前記後身頃とは、前記左前側辺と前記左後側辺とが固定されると共に、前記右前肩部と前記右後肩部とが固定され、且つ、前記右前身頃と前記後身頃とは、前記右前側辺と前記右後側辺とが固定されると共に、前記左前肩部と前記左後肩部とが固定された状態で、前記後身頃の前記背上部から左右に伸びる前記左下がりラインと前記右下がりラインとにより構成される貫頭空間を広げて、前記貫頭空間に頭部を通して着脱ができるようにしたものである。
【００１１】
なお、本発明はノースリーブのものとして実施することもできるが、左袖と右袖とを備えたものとして実施することもできる。その際、前記左袖は、前記右前身頃の前記左前側辺の上部と前記後身頃の前記左後側辺の上部とに固定され、前記右袖は、前記左前身頃の前記右前側辺の上部と前記後身頃の前記右後側辺の上部とに固定される。そして、前記左前身頃の右前側辺の下部から前記左前身頃の下端辺は、前記後前身頃及び前記右前身頃とは固定されていない自由状態である。また、前記右前身頃の左前側辺の下部から前記右前身頃の下端辺は、前記後前身頃及び前記左前身頃とは固定されていない自由状態であり、前記左前身頃と前記右前身頃とを捲り上げて受診できる。
【００１２】
また、袖の有無に係わらず、前記左前身頃の右前側辺は、その上部のみが右側の脇下かそれよりも下方で他の生地と固定され、この固定箇所よりも下方から前記左前身頃の下端辺は、固定されていない自由状態とすることができる。同様に、前記右前身頃の左前側辺は、その上部のみが左側の脇下かそれよりも下方で他の生地と固定され、この固定箇所よりも下方から前記右前身頃の下端辺は、固定されていない自由状態であるものとして実施することもできる。
【００１３】
また、本発明の衣服は、上半身のみの上衣として実施することもでき、上半身から下半身に達するワンピース状のものとして実施することもできる。また、その用途は、受診時などに着用する検診衣の他、その着脱の容易性を活かして介護用衣服や看護用衣服として実施してもよく、さらには従来にないデザインを活かしてファッション用の通常の衣服として実施することもできる。
【発明の効果】
【００１４】
本発明は、左右の前身頃同士を止めなくても、前がはだけ難い衣服であって、貫頭空間を大きく広げることができる衣服を提供することができたものである。
【図面の簡単な説明】
【００１５】
【図１】（Ａ）本発明の実施の形態に係る衣服の展開状態の正面図、（Ｂ）同衣服の一方の前身頃を固定した状態の正面図、（Ｃ）同衣服の完成状態の正面図。
【図２】（Ａ）同衣服の着用状態の一例の正面図、（Ｂ）同衣服の平面図。
【図３】（Ａ）本発明の他の実施の形態に係る衣服の一方の前身頃を固定した状態の正面図、（Ｂ）本発明のさらに他の実施の形態に係る衣服の脇下の状態を示す説明図、
【図４】（Ａ）本発明のさらに他の実施の形態に係る衣服の一方の前身頃を固定した状態の正面図、（Ｂ）本発明のさらに他の実施の形態に係る衣服の一方の前身頃を固定した状態の正面図。
【発明を実施するための形態】
【００１６】
以下、図面に基づき本発明の実施の形態を説明する。
【００１７】
この実施の形態の衣服は、検診用の上衣として実施されたもので、図１（Ａ）に示す展開状態において、後身頃Ｂ３０と、後身頃Ｂ３０の左右に連設された左身頃Ｌ１０及び右身頃Ｒ２０を備える。これらの左身頃Ｌ１０、右身頃Ｒ２０及び後身頃Ｂ３０は、別々に裁断された布を縫着したものであるが、１枚の連続した布で構成されてもよく、左右２枚の布を後身頃Ｂ３０の中央で縫着したものであってもよく、生地取りはデザインや縫製の観点から種々変更して実施できることは、通常の衣服と同様である。
なお、展開図においても、左右は、着用状態で着用者から見ての左右とする。
【００１８】
（後身頃Ｂ３０について）
後身頃Ｂ３０は、通常の衣服の後身頃と実質的に同じでよく、上辺の中央に背上辺Ｂ３５が配置され、その左右に左後肩部Ｂ３３と右後肩部Ｂ３４とが配置されている。左後肩部Ｂ３３の外端部は、下方に伸びる左後側辺Ｂ３１に繋がる。この左後側辺Ｂ３１の上部は左後アームホールＢ３７とされ、下部は左後脇辺Ｂ３９とされている。同様に、右後肩部Ｂ３４の外端部は、下方に伸びる右後側辺Ｂ３２に繋がり、右後側辺Ｂ３２の上部は右後アームホールＢ３８とされ、下部は右後脇辺Ｂ４０とされている。左後脇辺Ｂ３９と右後脇辺Ｂ４０との下端間は、横方向に伸びる下端辺Ｂ３６となっている。
【００１９】
（左身頃Ｌ１０について）
左身頃Ｌ１０は、左後側辺Ｂ３１（左後脇辺Ｂ３９）に連設される左前側辺Ｌ１１と、左後側辺Ｂ３１の下端から右に伸びる下端辺Ｌ１５と、下端辺Ｌ１５の右端から上方に伸びる右前側辺Ｌ１２とを備える。右前側辺Ｌ１２の上端から左身頃Ｌ１０の中央方向に向けて右前肩部Ｌ１３が伸び、右前肩部Ｌ１３の端部からは、左下がりラインＬ１４が斜め下方に向けて延ばされて、左下がりラインＬ１４の下端は左前側辺Ｌ１１に到達する。
【００２０】
ここで、左前側辺Ｌ１１は、下部の左前脇辺Ｌ１７のみが形成されている止まり、アームホールなどは設けられておらず、左前肩部も存在しない。他方、右前側辺Ｌ１２は、下部の右前脇辺Ｌ１８のみならず、上部の右前アームホールＬ１６も設けられている。
【００２１】
（右身頃Ｒ２０について）
右身頃Ｒ２０は、右後側辺Ｂ３２に連設される右前側辺Ｒ２２と、右前側辺Ｒ２２の下端から左に伸びる下端辺Ｒ２５と、下端辺Ｒ２５の左端から上方に伸びる左前側辺Ｒ２１とを備える。左前側辺Ｒ２１の上端から右身頃Ｒ２０の中央方向に向けて左前肩部Ｒ２３が伸び、左前肩部Ｒ２３の端部からは、右下がりラインＲ２４が斜め下方に向けて延ばされて、右下がりラインＲ２４の下端は右前側辺Ｒ２２に到達する。
【００２２】
右身頃Ｒ２０は左身頃Ｌ１０と略対称形状をなしており、右前側辺Ｒ２２は、下部の右前脇辺Ｒ２８のみが形成されている止まり、アームホールなどは設けられておらず、左前肩部も存在しない。他方、左前側辺Ｒ２１は、下部の左前脇辺Ｒ２７のみならず、上部の左前アームホールＲ２６も設けられている。
【００２３】
（後身頃Ｂ３０に対する固定）
左身頃Ｌ１０と右身頃Ｒ２０とは、何れか一方が上（表側）となり、他方が下（内側）となるように重ねられるもので、この例では、右身頃Ｒ２０の上に、左身頃Ｌ１０が重ねられている。従って、図１（Ｂ）に示すように、まず、後身頃Ｂ３０の上に右身頃Ｒ２０が重ねられるもので、重ねられた状態で左前肩部Ｒ２３と左後肩部Ｂ３３とが左肩固定部６１で接続される。また、左前側辺Ｒ２１（左前脇辺Ｒ２７）の上部は、左前側辺Ｌ１１（左前脇辺Ｌ１７）の上部及び左後側辺Ｂ３１（左後脇辺Ｂ３９）の上部と、左脇固定部６２で接続される。左前側辺Ｒ２１の下部と下端辺Ｒ２５とは何れにも接続されない自由状態となっている。
【００２４】
次に、図１（Ｃ）に示すように、右身頃Ｒ２０の上に左身頃Ｌ１０が重ねられる。この重ねられた状態で、右前肩部Ｌ１３と右後肩部Ｂ３４とが右肩固定部６３で接続される。また、右前側辺Ｌ１２（右前脇辺Ｌ１８）の上部は、右前側辺Ｒ２２（右前脇辺Ｒ２８）の上部及び右後側辺Ｂ３２（右後脇辺Ｂ４０）の上部と、右脇固定部６４で接続される。左前側辺Ｌ１１の下部と下端辺Ｌ１５とは何れにも接続されることがない自由状態となっている。
【００２５】
そして、必要に応じて、左右の袖左袖Ｓ５１及び右袖Ｓ５２が、左前アームホールＲ２６、左後アームホールＢ３７と、右前アームホールＬ１６、右後アームホールＢ３８に、それぞれ取り付けられる。
なお、それぞれの接続、固定は、縫着により行なうことが検診衣として実施する際には最も有利であるが、釦と釦ホールや、凹凸嵌合の係止具や、紐や、起毛面ファスナなどで、着脱可能に固定するものであってよい。
【００２６】
（着用状態の特徴）
この実施の形態に係る衣服は、第１の特徴として、左身頃Ｌ１０の右前肩部Ｌ１３が右肩固定部６３で固定されるため、左身頃Ｌ１０全体がずり下がってしまうことがなく、また、右身頃Ｒ２０の左前肩部Ｒ２３が左肩固定部６１で固定されるため、右身頃Ｒ２０全体がずり下がってしまうことがない。従って、左脇固定部６２や右脇固定部６４での固定の有無に係わらず、左身頃Ｌ１０と右身頃Ｒ２０とは重ねられた状態を保つものであり、従来の浴衣型の衣服のように、前がはだけてしまうことがない。なお、左脇固定部６２や右脇固定部６４での固定は、左身頃Ｌ１０や右身頃Ｒ２０の袖回りでの安定性を向上させることができ、必要以上に左身頃Ｌ１０や右身頃Ｒ２０がペラペラしないようにするために設けられるものであるが、これを省略して、左肩固定部６１と右肩固定部６３での固定のみで実施することも可能である。
【００２７】
第２の特徴として、図２（Ａ）に示すように、左身頃Ｌ１０は、下端辺Ｌ１５と右前脇辺Ｌ１８の下部が自由状態であるため、これを斜め上方に持ち上げることができ、右身頃Ｒ２０は、下端辺Ｒ２５と左前脇辺Ｒ２７の下部が自由状態であるため、これを斜め上方に持ち上げることができる。従って、極めて容易に衣服の裾をたくし上げることがき、また、手を離せば直ぐに元の状態に戻る。従って、受診時に衣服を脱がずとも、必要に応じて衣服をたくし上げることがき、必要がなくなれば、直ぐに元に戻すことができる。しかも、上述のように、左身頃Ｌ１０及び右身頃Ｒ２０は、左肩固定部６１と右肩固定部６３の固定のみで安定した状態を保つことができる。
【００２８】
第３の特徴として、図２（Ｃ）に示すように、左下がりラインＬ１４、右下がりラインＲ２４及び背上辺Ｂ３５で構成される貫頭空間６５を大きく開くことができる。特に、左下がりラインＬ１４及び右下がりラインＲ２４は、肩から胸部付近にまで伸びる斜めのラインであるため、柔軟な布地の特性を活かして、貫頭空間６５を大きく開くことができる。従って、貫頭空間６５に頭部を通して着脱する際に、ヘヤスタイルや化粧を崩したりするおそれが低減される。
【００２９】
このような特徴を備えた本発明の衣服は、検診用衣服として最適であることは勿論、着崩れし難く、しかも着脱が容易であり、介護用衣服としても好適に実施することができる。さらに、園児や学生用がプールの際に着用する簡易衣服として実施したり、さらに、一般的な衣服として新たなデザインの衣服として実施することもできる。
【００３０】
（変更例）
先の例では、左下がりラインＬ１４の下端は左前脇辺Ｌ１７の上端に到達しているが、その位置はこれに限らず種々変更して実施することができる。例えば、図３（Ａ）の２点鎖線に示すように、アームホールの下部に到達するものでもよく、左前脇辺Ｌ１７の中程に到達するものでもよい。このように、左下がりラインＬ１４や右下がりラインＲ２４は、左右の脇下かそれよりも下方に達していて、肩の左肩固定部６１、右肩固定部６３との間にて、腕を通すことができる空間が設けられるものであれば、その位置は衣服の機能性やデザインの観点から種々変更して実施することができる。また、左身頃Ｌ１０と右身頃Ｒ２０とを、横方向にどの程度重ね合わせるかも適宜変更して実施することができる。図の例では、前身頃の横幅の略Ｌ１００％で重ね合わせているが、例えば、７０％や４０％であってもよく、種々変更して実施することができる。
【００３１】
左右の袖を設けた場合について、具体的には図３（Ｂ）に示すように右袖Ｓ５２を設けた例で説明すると、左身頃Ｌ１０の右脇固定部６４を、右袖Ｓ５２の脇下の生地に対して行なってもよい。この場合、図示のように、右下がりラインＲ２４は、右袖Ｓ５２の脇下で右袖Ｓ５２及び左身頃Ｌ１０と縫着してもよく、前述の例のように、右身頃Ｒ２０及び後身頃Ｂ３０と縫着させてもよい。また、図示のように、左身頃Ｌ１０の右前脇辺Ｌ１８は、右前脇辺Ｒ２８及び右後脇辺Ｂ４０にまで達することなく、少し手前（前身頃の中央寄り）で止めることもできる。このように、生地の縫製の細部は、種々のデザイや寸法取りが可能である。
なお、図３（Ｂ）では、左身頃Ｌ１０を左上がりの斜線、右身頃Ｒ２０を右上がりの斜線、左身頃Ｌ１０と右身頃Ｒ２０との重なり部分を交差した斜線、後身頃Ｂ３０を斑点で示している。
【００３２】
また、前述の例では、左下がりラインＬ１４及び右下がりラインＲ２４は、そのラインが左身頃Ｌ１０及び右身頃Ｒ２０の上端辺となっているが、これに限らず、図４（Ａ）に示すように、そのラインを越えて余剰生地６６が延ばされているものであってもよい。この余剰生地６６は、例えば図示のように、襟の形状をしたものであってもよく、種々変更して実施することができる。例えば、図示はしないが、肩部まで達するものであってもよく、必要に応じて着脱可能に固定できるものであってもよい。但し、いずれの場合でも、少なくとも衣服の着脱時には、左下がりラインＬ１４、右下がりラインＲ２４のラインで、大きく貫頭空間６５を形成できるようにしておくことが望ましい。
【００３３】
さらに、図４（Ｂ）に示すように、左下がりラインＬ１４及び右下がりラインＲ２４は、直線に限らず、曲線であってもよく、その衣服のデザインに応じて種々変更して実施することができるものであり、本発明はその趣旨を逸脱しない範囲で種々変更して実施することができる。
【符号の説明】
【００３４】
Ｌ１０  左身頃
Ｌ１１  左前側辺
Ｌ１２  右前側辺
Ｌ１３  右前肩部
Ｌ１４  左下がりライン
Ｌ１５  下端辺
Ｌ１６  右前アームホール
Ｌ１７  左前脇辺
Ｌ１８  右前脇辺
Ｒ２０  右身頃
Ｒ２１  左前側辺
Ｒ２２  右前側辺
Ｒ２３  左前肩部
Ｒ２４  右下がりライン
Ｒ２５  下端辺
Ｒ２６  左前アームホール
Ｒ２７  左前脇辺
Ｒ２８  右前脇辺
Ｂ３０  後身頃
Ｂ３１  左後側辺
Ｂ３２  右後側辺
Ｂ３３  左後肩部
Ｂ３４  右後肩部
Ｂ３５  背上辺
Ｂ３６  下端辺
Ｂ３７  左後アームホール
Ｂ３８  右後アームホール
Ｂ３９  左後脇辺
Ｂ４０  右後脇辺  
Ｓ５１  左袖
Ｓ５２  右袖
６５    貫頭空間
【図１】
2015040350.tif 000003
【図２】
2015040350.tif 000004
【図３】
2015040350.tif 000005
【図４】
2015040350.tif 000006